(57)【要約】【課題】  より簡単に装置と被検者との位置合わせができる。【解決手段】  眼鏡フレームを装用した状態の被検者の顔を撮影するための眼鏡装用パラメータ測定用撮影装置であって、前記眼鏡フレームを含む被検者の顔を正面方向又は下方から撮影するための第１撮像手段と、前記眼鏡フレームを含む前記被検者の顔を正面方向とは異なる方向から撮影するための第２撮像手段と、を有する撮像光学系と、前記眼鏡フレームの水平方向の振れ角を調整できるように、前記第２撮像手段によって撮影された被検者の顔の画像に基づいて前記撮影光学系と前記被検者との位置合わせが可能な位置合わせ手段と、を備えることを特徴とする。【選択図】      図８
2015210506.tif 000002
【特許請求の範囲】
【請求項１】
眼鏡フレームを装用した状態の被検者の顔を撮影するための眼鏡装用パラメータ測定用撮影装置であって、
前記眼鏡フレームを含む被検者の顔を正面方向又は下方から撮影するための第１撮像手段と、前記眼鏡フレームを含む前記被検者の顔を正面方向とは異なる方向から撮影するための第２撮像手段と、を有する撮像光学系と、
前記眼鏡フレームの水平方向の振れ角を調整できるように、前記第２撮像手段によって撮影された被検者の顔の画像に基づいて前記撮影光学系と前記被検者との位置合わせが可能な位置合わせ手段と、
を備えることを特徴とする眼鏡装用パラメータ測定用撮影装置。
【請求項２】
前記位置合わせ手段は、
表示部の表示を制御し、前記眼鏡フレームの水平方向における振れ角を調整するための位置合わせマークを、前記第２撮像手段によって撮影された画像上に重畳表示する表示制御手段と、を備えることを特徴とする請求項１の眼鏡装用パラメータ測定用撮影装置。
【請求項３】
前記表示制御手段は、
前記第２撮像手段によってリアルタイムに撮影される動画上に前記位置合わせマークを重畳表示するとともに、
前記動画上に表示された位置合わせマークに基づいて前記眼鏡フレームの前面部の水平方向における振れ角が調整された後、前記第２撮像手段によって撮影された静止画上に前記位置合わせマークを重畳表示させることを特徴とする請求項２の眼鏡装用パラメータ測定用撮影装置。
【請求項４】
前記表示制御手段は、
前記第１撮像手段の第１撮像光軸と前記第２撮像手段の第２撮像光軸とが交差する位置に前記位置合わせマークを表示させることを特徴とする請求項２または３の眼鏡装用パラメータ測定用撮影装置。
【請求項５】
前記第２撮像手段は、前記眼鏡フレームの左右の上端を含む前記被検者の顔を上方向から撮影することを特徴とする請求項１〜４のいずれかの眼鏡装用パラメータ測定用撮影装置。
【請求項６】
前記位置合わせマークは、前記眼鏡フレームの水平方向における振れ角がゼロになるときの眼鏡フレームの位置に表示されることを特徴とする請求項２〜５のいずれかの眼鏡装用パラメータ測定用撮影装置。
【請求項７】
前記被検者の顔を支持するための顔支持手段をさらに備え、
前記顔支持手段は、
前記被検者の顔に当接する当接部と、
前記撮像光学系によって撮像される前記眼鏡フレームの水平方向における振れ角がゼロになるように、前記顔支持ユニットに設けられた中心軸を回転中心として前記当接部を水平方向に回転させることによって、前記撮像光学系に対する前記被検者の顔の振れを調整可能な第１調整ユニットと、
を備えることを特徴とする請求項１〜６の眼鏡装用パラメータ測定用撮影装置。
【請求項８】
前記顔支持手段は、さらに、
前記当接部を前記撮像光学系に対して前後方向における前記当接部の位置を調整可能な第２調整ユニットを備えることを特徴とする請求項７の眼鏡装用パラメータ撮影装置。
【請求項９】
眼鏡フレームを装用した状態の被検者の顔を撮影するための眼鏡装用パラメータ測定用撮影装置において用いられる眼鏡装用パラメータ測定用撮影プラグラムであって、
前記眼鏡装用パラメータ測定用撮影装置のプロセッサによって実行されることで、
前記眼鏡フレームを含む前記被検者の顔を正面方向又は下方から撮影するための第１撮像ステップと、
前記眼鏡フレームを含む前記被検者の顔を正面方向とは異なる方向から撮影する第２撮影ステップと、
前記眼鏡フレームの水平方向の振れ角を調整できるように、前記第２撮影ステップにおいて撮影された被検者の顔の画像に基づいて前記撮影光学系と前記被検者との位置合わせをする位置合わせステップと、
を前記眼鏡装用パラメータ測定用撮影装置に実行させることを特徴とする眼鏡装用パラメータ測定用撮影プログラム。
【発明の詳細な説明】
【技術分野】
【０００１】
本発明は、眼鏡を作成するために必要な眼鏡装用パラメータの測定に用いる画像を撮影する眼鏡装用パラメータ測定用撮影装置、および眼鏡装用パラメータ測定用撮影プログラムに関する。
【背景技術】
【０００２】
眼鏡を測定するために必要な眼鏡装用パラメータを測定するために、眼鏡フレームを装用した状態の被検者の顔を撮影する眼鏡パラメータ測定用撮影装置が提案されている（特許文献１参照）。例えば、眼鏡パラメータ測定用撮影装置によって撮影された画像から眼鏡を作成するために必要な眼鏡装用パラメータが算出される。
【先行技術文献】
【特許文献】
【０００３】
【特許文献１】特開２００７−２１６０４９号公報
【発明の概要】
【発明が解決しようとする課題】
【０００４】
しかしながら、従来の装置では、眼鏡フレームの水平方向の振れ角を適正に調整するための構成が存在しなかった。特許文献１は、側方撮影部の撮影方向を変更させ、各方向での画像を撮影し、各撮影結果を用いて装用パラメータを補正しようとする試みだが、装用パラメータの取得用とは別に設けられたカメラを回転移動させたり、アタッチメントを必要とする。また、補正を行う場合、フレームの形状に個体差があるため、正しく補正を行うことが困難な場合がある。
【０００５】
本発明は、上記問題点の少なくとも一つを鑑み、より簡単に装置と被検者との位置合わせができる眼鏡パラメータ測定用撮影装置を提供することを技術課題の一つとする。
【課題を解決するための手段】
【０００６】
上記課題を解決するために、本発明は以下のような構成を備えることを特徴とする。
【０００７】
（１）  眼鏡フレームを装用した状態の被検者の顔を撮影するための眼鏡装用パラメータ測定用撮影装置であって、前記眼鏡フレームを含む被検者の顔を正面方向又は下方から撮影するための第１撮像手段と、前記眼鏡フレームを含む前記被検者の顔を正面方向とは異なる方向から撮影するための第２撮像手段と、を有する撮像光学系と、前記眼鏡フレームの水平方向の振れ角を調整できるように、前記第２撮像手段によって撮影された被検者の顔の画像に基づいて前記撮影光学系と前記被検者との位置合わせが可能な位置合わせ手段と、を備えることを特徴とする。
（２）  眼鏡フレームを装用した状態の被検者の顔を撮影するための眼鏡装用パラメータ測定用撮影装置において用いられる眼鏡装用パラメータ測定用撮影プラグラムであって、前記眼鏡装用パラメータ測定用撮影装置のプロセッサによって実行されることで、前記眼鏡フレームを含む前記被検者の顔を正面方向又は下方から撮影するための第１撮像ステップと、前記眼鏡フレームを含む前記被検者の顔を正面方向とは異なる方向から撮影する第２撮影ステップと、前記眼鏡フレームの水平方向の振れ角を調整できるように、前記第２撮影ステップにおいて撮影された被検者の顔の画像に基づいて前記撮影光学系と前記被検者との位置合わせをする位置合わせステップと、を前記眼鏡装用パラメータ測定用撮影装置に実行させることを特徴とする。
【図面の簡単な説明】
【０００８】
【図１】本実施例に係る眼鏡装用パラメータ測定用撮影装置の外観の概略構成図である。
【図２】本実施例に係る眼鏡装用パラメータ測定用撮影装置に収納される光学系の概略構成図である。
【図３】本装置を被検者側から見たときの正面図である。
【図４】側方撮像光学系の概略構成図を示している。
【図５】本実施例の制御系を示すブロック図である。
【図６】本実施例における制御動作の流れについて説明するフローチャートである。
【図７】表示部に表示される表示画像の一例を示すための図である。
【図８】装置１と被検者との位置合わせについて説明するための図である。
【図９】上方撮像光学系の変容パターンを示す図である。
【図１０】位置合わせマークの変容パターンを示す図である。
【図１１】第２実施例の概略を説明するための図である。
【図１２】第２実施例のシステムを説明するための図である。
【図１３】変容例を説明するための図である。
【図１４】変容例を説明するための図である。
【発明を実施するための形態】
【０００９】
＜概要＞
以下、本実施例の概要を図面に基づいて説明する。図１〜図１０は本実施例および変容例に係る眼鏡装用パラメータ測定用撮影装置１の構成について説明する図である。なお、以下の説明において、被検者の水平方向をＸ軸方向、被検者の上下方向をＹ軸方向、被検者の前後方向（作動距離方向）をＺ軸方向として説明する。
【００１０】
本実施例の眼鏡装用パラメータ測定用撮影装置（以下、本装置ともいう）１は、例えば、眼鏡フレームＦを装用した状態の被検者の顔を撮影する。本装置１は、撮像光学系１００と、位置合わせユニット（例えば、制御部７０など）とを主に備える。
【００１１】
撮像光学系１００は、第１撮影部（例えば、遠用撮像光学系２００、近用撮像光学系３００など）と、第２撮像部（例えば、上方撮像光学系１０１、側方撮像光学系５００など）とを主に備える。第１撮像部は、眼鏡フレームＦを含む被検者の顔を正面方向又は下方から撮影する。第２撮像部は、眼鏡フレームＦを含む被検者の顔を正面方向とは異なる方向から撮影する。例えば、第１撮像部としては、例えば、遠用撮像光学系２００或いは近用撮像光学系３００の少なくともいずれかが用いられる。例えば、第２撮像部は、眼鏡フレームＦの左右の上端を含む被検者の顔を上方向から撮影してもよい。例えば、第２撮影部は、眼鏡フレームＦを左右の端部を含む被検者の顔を左右から撮影してもよい。
【００１２】
位置合わせユニットは、眼鏡フレームＦの水平方向の振れ角を調整できるように、第２撮像部によって撮影された被検者の顔の画像に基づいて撮影光学系と被検者との位置合わせが可能である。例えば、位置合わせユニットは、第２撮像部によって撮影された撮影画像に対し、振れ角を調整するための基準となる基準ラインを設定してもよい。位置合わせユニットは、設定された基準ラインを用いた制御を行ってもよい。基準ラインは、例えば、撮影画像上における水平ライン上あるいは垂直ライン上に設置される。制御としては、モニタの表示制御、音声、ランプ等による報知制御、駆動部の駆動制御の少なくともいずれかが考えられる。
【００１３】
より詳細には、位置合わせユニットは、例えば、第２撮像部によって撮影された撮影画像において、予め設定された基準ラインに対応する表示位置に、位置合わせ用マークを表示してもよい。また、位置合わせユニットは、例えば、第２撮像部による撮影画像上に設定された基準ラインに対し、第２撮像部による撮影画像に含まれる眼鏡フレームＦの水平方向の振れ角を検出してもよい。位置合わせユニットは、例えば、基準ラインに対し振れ角の検出結果に基づいて、ガイド表示、ガイド音声、ガイドランプ、カメラ移動、の少なくともいずれかを行うようにしてもよい。
【００１４】
上記構成によって、例えば、眼鏡フレームＦを含む被検者の顔を正面方向又は下方から撮影可能な撮像光学系に対し、眼鏡フレームＦの水平方向の振れ角が好適に調整される。正面方向又は下方から撮影された画像は、眼鏡装用パラメータ（例えば、遠用アイポイント、近用アイポイント等）の測定に用いられる。
【００１５】
なお、本装置は、表示部１５の表示を制御する表示制御部（例えば、制御部７０）をさらに備えてもよい。例えば、表示制御部は、第２撮像部によってリアルタイムに撮影される動画上に位置合わせマークを重畳表示してもよい。そして、表示制御部は、動画上に表示された位置合わせマークに基づいて眼鏡フレームＦの水平方向における振れ角が調整された後、第２撮像部によって撮影された静止画上に位置合わせマークを重畳表示させてもよい。例えば、表示制御部は、第１撮像部の第１撮像光軸と第２撮像部の第２撮像光軸とが交差する位置に位置合わせマークを表示させてもよい。例えば、表示制御部は、眼鏡フレームＦの水平方向における振れ角がゼロになるときの眼鏡フレームＦの位置に位置合わせマークを表示させてもよい。
【００１６】
なお、本装置１は、被検者の顔を支持するための顔支持部５をさらに備えてもよい。顔支持部５は、例えば、当接部３１と、第１調整ユニット（例えば、左右回転調節部５０）と、第２調整ユニット（例えば、作動距離調節部４０）とを備えてもよい。当接部は、例えば、被検者の顔に当接する。第１調整ユニットは、撮像光学系１００によって撮像される眼鏡フレームＦの水平方向における振れ角がゼロになるように、顔支持部５に設けられた中心軸を回転中心として当接部３１を水平方向に回転させてもよい。これによって、第１調整ユニットは、撮像光学系１００に対する被検者の顔の振れを調整可能である。なお、眼鏡フレームＦの振れ角を正確にゼロに合わせなくともよく、略ゼロに調整可能であればよい。
【００１７】
第２調整ユニットは、例えば、撮像光学系１００に対して当接部３１の位置を前後方向に調整可能である。これによって、第２調整ユニットは、撮像光学系１００と被検者との前後方向の距離を調整できる。
【００１８】
なお、本装置１は、眼鏡装用パラメータ測定用撮影プラグラムを記憶部（例えば、ＲＯＭなど）に記憶してもよい。そして、制御部７０に設けられたプロセッサ等によってプログラムが実行されることで、第１撮影ステップと、第２撮影ステップと、位置合わせステップが本装置１に実行されてもよい。
【００１９】
例えば、第１撮影ステップは、眼鏡フレームＦを含む被検者の顔を正面方向又は下方から撮影するステップである。例えば、第２撮影ステップは、眼鏡フレームＦを含む被検者の顔を正面方向とは異なる方向から撮影するステップである。例えば、位置合わせステップは、眼鏡フレームＦの水平方向の振れ角を調整できるように、第２撮影ステップにおいて撮影された被検者の顔の画像に基づいて撮影光学系１００と被検者との位置合わせをするステップである。
【００２０】
＜第１実施例＞
以下、図１及び図２を参照して、本実施例に係る眼鏡装用パラメータ測定用撮影装置（以下、本装置と略す）１の構成について説明する。本装置１は、例えば、撮像光学系１００と、操作ユニット１０と、表示部１５と、顔支持ユニット５等を備える。
【００２１】
＜装置外観＞
図１に示されるように、本装置１は、装置本体３、呈示窓６、顔支持ユニット５、操作ユニット１０、表示部１５、測定屋根４等を備える。装置本体３の被検者側には呈示窓６が備わる。呈示窓６は、被検者に固視標を呈示する際に、固視光束を通過させる窓である。同じく装置本体３の被検者側には、測定屋根４が備わる。測定屋根４は、例えば、被検者の上方を覆うように設けられる。測定屋根４は、測定に不要な外乱光が撮像光学系に進入することを低減する。なお、測定屋根４は、被検者の上方を完全に覆う必要はない。例えば、被検者の上方を一部だけ覆うものでもよい。同じく装置本体３の被検者側には顔支持ユニット５が備わる。顔支持ユニット５は、被検者の顔を支持するためのユニットである。装置本体３の検者側には操作ユニット１０及び表示部１５が備わる。本装置１は、例えば、タッチパネル式のディスプレイが備わり、操作ユニット１０及び表示部１５として兼用される。
【００２２】
＜操作ユニット＞
操作ユニット１０は、入力された操作指示に応じた信号を後述する制御部７０に出力する。本実施例における操作ユニット１０は、タッチパネル式のディスプレイが用いられ、表示部１５と兼用される。もちろん、操作ユニット１０と表示部１５が別に設けられた構成であってもよい。例えば、操作ユニット１０には、マウス、ジョイスティック、キーボード等の操作手段の少なくともいずれかを用いる構成が挙げられる。例えば、表示部１５は、装置本体３に搭載されたディスプレイであってもよいし、装置本体３に接続されたディスプレイであってもよい。もちろん、タッチパネル式でなくともよい。例えば、パーソナルコンピュータ（以下、「ＰＣ」という。）のディスプレイを用いてもよい。また、例えば、複数のディスプレイが併用されてもよい。表示部１５には、撮影された遠方視及び近方視状態の被検者の正面画像又は側方画像、上方画像を含む各種画像が表示されてもよい。
【００２３】
＜顔支持ユニット＞
顔支持ユニット５は、被検者の額を支持する。そして、顔支持ユニット５は、後述する撮像光学系（例えば、遠用撮像光学系２００，近用撮像光学系３００，反射ミラー４１０等）１００と被検者との距離を一定にする。また、顔支持ユニット５は、被検者の水平方向に回転可能であり、被検者の顔の向きを調整することができる。これによって、被検者の顔の向きが水平方向のいずれかにずれている場合、被検者の顔が正面を向くように、顔支持ユニット５を回転させることができる。
【００２４】
顔支持ユニット５は、当接部３１、作動距離調節部４０、左右回転調節部５０を主に備える。当接部３１は、被検者の顔に接触する部分である。作動距離調節部４０は、被検者と後述の撮像光学系１００との距離を調節するために当接部３１の位置をＺ軸方向に調節する。例えば、本実施例において、検者によって作動距離調節部４０の調節ノブ４１が操作されることによって、当接部３１のＺ軸方向（作動距離方向）における位置が調節される。水平回旋調節部５０は、被検者の顔が正面を向くように、当接部３１の水平方向の角度を調節する。例えば、本実施例において、検者によって左右回転調整部５０の調節ノブ５１が操作されることによって、当接部３１の水平方向の位置が調節される。
【００２５】
なお、顔支持ユニット５は本実施形態の構成に限定されない。本実施例においては、被検者の額を支持するものとして説明したが、被検者のあごでもよいし、頬、鼻などでもよい。被検者の顔を支持する構成であればよい。また、本実施例において、顔支持ユニット５は、検者が調節ノブ４１，５１を操作することによって、当接部３１の位置が調節される構成としたがこれに限定されない。顔支持ユニット５は、モータ等の駆動部を有し、操作ユニット１０の操作等によって、電動で当接部３１の位置が調整される構成としてもよい。
【００２６】
＜光学系＞
次に、図２を参照して、本実施例に係る本装置１に収納される光学系について説明する。本実施例の本装置１は、照明光学系１１０、上方撮像光学系１０１、遠用撮像光学系２００、近用撮像光学系３００、光路切換ユニット４００と、側方撮像光学系５００、を主に備える。
【００２７】
本実施例において、眼鏡パラメータを測定するために眼鏡を装用した被検者の画像を撮影するための撮影部を有する撮像光学系１００として、少なくとも、上方撮像光学系１０１、遠用撮像光学系２００、近用撮像光学系３００のいずれかが用いられる。本実施例において、上方撮像光学系１０１は、例えば、被検者の顔を上方から撮影した上方画像を撮影するために用いられる。なお、上方とは、被検者の真上でなくともよく、斜め上方であってもよい。本実施例において、遠用撮像光学系２００は、被検者の正面画像を撮影するために用いられる。正面画像とは、例えば、被検者を正面方向から撮影した画像である。本実施例において、近用撮像光学系３００は、被検者の正面画像または下方画像を撮影するために用いられる。下方画像とは、例えば、被験者の顔を下方から撮影した画像である。下方とは、真下だけでなく、斜め下方であってもよい。本実施例において、側方撮像光学系５００は、被検者の側方画像を撮影するために用いられる。
【００２８】
＜照明光学系＞
照明光学系１１０は、４つの光源１１０Ｒ，１１０Ｌ，１１１Ｒ，１１１Ｌ（図２では、１１０Ｌ、１１１Ｌを省略）を主に備える。照明光学系１１０は、光源１１０Ｒ，１１０Ｌ，１１１Ｒ，１１１Ｌによって、四方向から被検者の顔を照明する。もちろん、照明光学系１１０は上記の構成に限らない。光源の数はいくつでもよく、配置も任意でよい。照明光学系１１０は、光源によって被検者の顔を照明することができればよい。例えば、照明光学系１１０は、顔支持ユニット５の下部、呈示窓６の上部に設けられてもよい。
【００２９】
なお、本実施例の照明光学系１１０においては、赤外光源を用いる。赤外光源と、後述する赤外フィルタ等を用いることによって、外乱光（自然光など）の影響を抑えることができる。ただし、赤外光源でなくてもよく、可視光源を用いてもよい。
【００３０】
＜上方撮像光学系＞
以下、上方撮像光学系１０１について説明する。上方撮像光学系１０１は、例えば、眼鏡フレームＦを含む被検者の顔を上方から撮影する。上方撮影光学系１０１によって撮影された上方画像は、例えば、眼鏡フレームＦのそり角の測定などに利用される。本実施例の上方撮像光学系１０１は、例えば、測定屋根４に設けられる（図３参照）。上方撮像光学系１０１は、例えば、図２に示すように、撮像素子１０２、撮像レンズ１０３、絞り１０４、赤外フィルタ１０５等を備える。
【００３１】
照明光学系１１０からの照明光は、被検者の顔及び眼鏡フレームＦによって反射されて、赤外フィルタ１０５を通過する。赤外フィルタ１０５を通過した赤外光は、絞り１０４を通過し、撮像レンズ１０３によって収束された後、撮像素子１０２に受光される。撮像素子１０２は、光を受光すると、受光信号を制御部７０に出力する。
【００３２】
＜遠用撮像光学系＞
図２に基づいて、遠用撮像光学系（以下、第１撮像光学系とも言う）２００について説明する。遠用撮像光学系２００は、眼鏡フレームＦに対する遠方視状態における被検眼Ｅの眼位置を測定するための光学系である。遠用撮像光学系２００は、第１の固視標投影部２００ａと第１の撮像部２００ｂに分けられる。なお、遠用撮像光学系２００の測定光軸を光軸Ｌ１とする。
【００３３】
固視標投影部２００ａは、被検者を遠方視状態に固視させるための遠用固視標を被検眼Ｅに投影する。固視標投影部２００ａは、光源２２０、ハーフミラー２３０、凹面ミラー２４０を主に備える。光源２２０は、被検眼Ｅに投影される固視標として機能する。凹面ミラー２４０は、光源２２０から出射される固視標光束を略平行光束にして反射する。なお、本実施例においては、光源２２０から出射される固視標光束は、略平行光束にして反射する構成としたがこれに限定されない。光源２２０から出射される固視標光束は、所定の遠用呈示距離になるように反射する構成としてもよい。
【００３４】
光源２２０からの出射された固視標光束は、ハーフミラー２３０によって反射され、光軸Ｌ１と同軸とされる。ハーフミラー２３０によって反射された固視標光束は、凹面ミラー２４０によって反射される。凹面ミラー２４０に反射された固視標光束は、後述する反射ミラー４１０によって反射され、呈示窓６を通過して被検眼Ｅに入射する。凹面ミラー２４０は、固視標光束を略平行光束にするように反射する。このため、被検者から見た固視標は、被検眼Ｅから光源２２０までの実際の距離よりも遠方にあるように見える。その後、固視標光束は、後述の反射ミラー４１０によって反射され、呈示窓６を通過して被検眼Ｅに入射する。
【００３５】
撮像部２００ｂは、遠方視状態における被検者の顔を正面方向（被検者の顔の正面と対向した位置）から撮影する。本実施例において、撮像部２００ｂは、遠方視状態における被検者の顔を正面方向から撮影する。もちろん、撮像部２００ｂは、正面方向として、斜め下方向（斜め下の位置）から撮影する構成としてもよい。なお、被検者の顔とは、被検者の顔全体でなくてもよく、少なくとも被検眼Ｅの周辺領域（例えば、少なくとも左右眼一方の眼及び眼鏡フレームＦを含む被検者の顔の正面画像であってもよい）を指す。撮像部２００ｂは、撮像素子２１０、撮像レンズ２１２、絞り２１４、赤外フィルタ２１６、ハーフミラー２３０、凹面ミラー２４０を主に備える。
【００３６】
照明光学系１１０からの照明光は、被検者の顔によって反射されて、呈示窓６を通過する。呈示窓６を通過した照明光は、反射ミラー４１０によって反射される。反射ミラー４１０によって反射された反射光は、凹面ミラー２４０によって反射された後、ハーフミラー２３０を通り、赤外フィルタ２１６を通過する。赤外フィルタ２１６を通過した赤外光は、絞り２１４を通過し、撮像レンズ２１２によって収束された後、撮像素子２１０の上に像を結ぶ。撮像素子２１０は瞳と共役な位置関係にある。撮像素子２１０は、光を検出し、そのときの検出信号を制御部７０に出力する。
【００３７】
＜近用撮像光学系＞
近用撮像光学系（以下、第２撮像光学系とも言う）３００は、近方視状態における被検眼Ｅの眼位置を測定するための光学系である。近用撮像光学系３００は、第２の固視標投影部３００ａと第２の撮像部３００ｂに分けられる。
【００３８】
固視標投影部３００ａは、被検者を近方視状態に固視させるための近用固視標を斜め下方向から被検眼Ｅに投影する。固視標投影部３００ａは、光源３２０、ハーフミラー３３０、凸レンズ３４０を主に備える。光源３２０は、被検眼Ｅに投影される固視標として機能する。
【００３９】
光源３２０からの出射された固視標光束は、ハーフミラー３３０によって反射され、光軸Ｌ２と同軸とされる。ハーフミラー３３０によって反射された固視標光束は、凸レンズ３４０を通過し、収束される。その後、固視標光束は、後述の反射ミラー４１０によって反射され、呈示窓６を通過して被検眼Ｅに入射する。
【００４０】
撮像部３００ｂは、近方視状態における被検者の顔を正面方向（被検者の視線方向）から撮影する。なお、本実施例において、撮像部３００ｂは、近方視状態における被検者の顔を斜め下方向（斜め下の位置）から撮影している。もちろん、撮像部３００ｂは、正面方向として、正面位置から撮影する構成としてもよい。撮像部３００ｂは、撮像素子３１０、撮像レンズ３１２、絞り３１４、赤外フィルタ３１６、ハーフミラー３３０、凸レンズ３４０を主に備える。
【００４１】
被検者の顔を照明する照明光学系１１０からの照明光は、呈示窓６を通過し、反射ミラー４１０によって反射される。反射ミラー４１０によって反射された反射光は凸レンズ３４０を通過し、収束される。収束されたこの光束は、ハーフミラー３３０を通り、赤外フィルタ３１６を通過する。赤外フィルタ３１６を通過した赤外光は、絞り３１４を通過し、撮像レンズ３１２によって収束された後、撮像素子３１０の上に像を結ぶ。撮像素子３１０は、瞳と共役な位置関係にある。撮像素子３１０は、光を検出し、そのときの検出信号を制御部７０に出力する。
【００４２】
＜光学系移動ユニット＞
近用撮像光学系３００は、光学系移動ユニット３５０を備える。光学系移動ユニット３５０は、近用撮像光学系３００を移動可能に保持する。光学系移動ユニット３５０は、近用測定のときに、後述する反射ミラー４１０の角度の変更にともなって、近用撮像光学系３００の全体を移動させることができる。
【００４３】
ところで、後述する光路切換ユニット４００によって反射ミラー４１０の角度が変更されると、固視標投影部３００ａの光路（指標の呈示距離）、及び第２の撮像部３００ｂの光路が変化してしまう。そこで、本実施形態の光学系移動ユニット３５０は、反射ミラー４１０の角度の変更にともなって、近用撮像光学系３００の全体を移動させる。これによって、反射ミラー４１０の角度が変更された場合であっても、近用視標の呈示距離が維持される。また、第２の撮像部３００ｂの被検眼Ｅに対するフォーカス状態が維持される。
【００４４】
また、光学系移動ユニット３５０は、呈示距離を調節するための凸レンズ３４０と、固視標を投影するための光源３２０を別々に移動させることが可能である。これによって、光学系移動ユニット３５０は、凸レンズ３４０と光源３２０の相対的な距離を変化させ、固視標の呈示距離を変更することができる。なお、光学系移動ユニット３５０は、例えば、モータや等の図示無き駆動部を用いて、駆動部を駆動させることによって、光学部材を移動させる。
【００４５】
＜光路切換ユニット＞
図２を参照して、光路切換ユニット４００について説明する。光路切換ユニットは、遠用撮像光学系２００と、近用撮像光学系３００の光路を切り換える。また、光路切り換えユニット４００は、近用測定時における被検者の視線方向を変化させる。
【００４６】
光路切換ユニット４００は、反射ミラー４１０、ミラー保持部４２０、駆動部４４０を主に備える。
【００４７】
反射ミラー４１０は、ミラー保持部４２０に保持される。ミラー保持部４２０の上部は、装置に固定された回転シャフト４２５に保持される。ミラー保持部４２０は、回転シャフト４２５の回転軸を中心に回旋可能とされる。このとき、ミラー保持部４２０は、反射ミラー４１０と一体的に回旋される。反射ミラー４１０は、遠用撮像光学系２００または近用撮像光学系３００から出射される視標光束を被検眼Ｅに向けて反射させる。駆動部４４０は、図示無きリンク機構部によって、ミラー保持部４２０の裏面と連結される。駆動部４４０が駆動されることによって、駆動部４４０の駆動力が図示無きリンク機構部を介して、ミラー保持部４２０に伝達される。ミラー保持部４２０は、リンク機構部から伝達された駆動力によって回転シャフト４２５を中心に回旋される。ミラー保持部が回旋されることによって、回転シャフト４２５を中心に、反射ミラー４１０が回旋移動をする。
【００４８】
反射ミラー４１０が回旋されることによって、視標光束の光路が変更され、被検眼Ｅに投影される固視標の呈示位置が変更される。固視標の呈示位置が変更されることで、被検者の視線方向が変更される。例えば、反射ミラーをＡ方向に回転させる（実線部から点線部へ移動される）ことによって、被検者の撮影を行うための光路が、遠用測定用光学系２００の光路から近用測定用光学系３００の光路へと切り換えられる。このように、光路切換ユニット４００は、反射ミラー４１０を回旋させることで固視標の呈示位置を変化させ、被検者の視線方向を上下方向に変化させる。
【００４９】
＜側方撮像光学系＞
図４は、側方撮像光学系５００の概略構成図を示している。側方撮像光学系５００は、被検者を側方から撮影することによって被検者の側方画像を取得する。図４に示されるように、側方撮像光学系５００は、被検者の顔が支持される位置の左右方向に固定されている。
【００５０】
本実施例の側方撮像光学系５００は、被検者の左側に配置される左方撮像光学系５００Ｌと、被検者の右側に配置される右方撮像光学系５００Ｒに大別される。左方撮像光学系５００Ｌは被検者を左側方から撮影する。右方撮像光学系５００Ｒは、被検者を右側方から撮影する。
【００５１】
左方撮像光学系５００Ｌは、ハーフミラー５３０Ｌ、赤外フィルタ５４０Ｌ、絞り５５０Ｌ、撮像レンズ５６０Ｌ、撮像素子５７０Ｌ、を主に備える。
【００５２】
同様に、右方撮像光学系５００Ｒは、ハーフミラー５３０Ｒ、赤外フィルタ５４０Ｒ、絞り５５０Ｒ、撮像レンズ５６０Ｒ、撮像素子５７０Ｒ、を主に備える。なお、以下の説明においては、便宜上、赤外フィルタ５４０Ｌ，５４０Ｒ、絞り５５０Ｌ，５５０Ｒ、撮像レンズ５６０Ｌ，５６０Ｒ、撮像素子５７０Ｌ，５７０Ｒの各部材をまとめて、側方撮像部５７５Ｌ，５７５Ｒと記載する。
【００５３】
赤外フィルタ５４０Ｌ，５４０Ｒは可視光を吸収し、赤外光を通過させる。撮像素子５７０Ｌ，５７０Ｒには、赤外フィルタ５４０Ｌ，５４０Ｒを通過した赤外光が受光される。
【００５４】
以下、左方撮像光学系５００Ｌを例に挙げて側方画像の撮像について説明する。照明光学系１１０からの照明光束は、被検者の顔と眼鏡フレームＦに反射される。反射された照明光束は、左方撮像光学系５００Ｌに入射する。その後、照明光束は、ハーフミラー５３０Ｌによって反射される。ハーフミラー５３０Ｌによって反射された反射光束は、赤外フィルタ５４０Ｌを通過する。赤外フィルタ５４０Ｌを通過した赤外光は、絞り５５+０Ｌを通過した後、撮像レンズ５６０Ｌによって集光され、撮像素子５７０Ｌの撮像面上に像を結ぶ。撮像素子５７０Ｌは、検出した撮像画像を制御部７０に送信する。このようにして、撮像素子５７０Ｌには、被検者の左側の側方画像が撮像される。また、左方撮像光学系５００Ｌと同様にして、右方撮像光学系５００Ｒによって、被検者の右側の側方画像が撮像される。
【００５５】
＜制御部＞
図５は本実施例の制御系を示すブロック図である。制御部７０は、ＣＰＵ（プロセッサ）、ＲＡＭ、ＲＯＭ等を備える。制御部７０のＣＰＵは、本装置１の制御を司る。ＲＡＭは、各種情報を一時的に記憶する。制御部７０のＲＯＭには、本装置１の動作を制御するための各種プログラム、初期値等が記憶されている。
【００５６】
制御部７０には、不揮発性メモリ（以下、メモリに省略する）７２、操作ユニット１０、光源１１０Ｌ，１１０Ｒ，１１１Ｌ，１１１Ｒ，２２０，３２０、撮像素子２１０，３１０，５７０Ｌ，５７０Ｒ、光学系移動ユニット３５０の駆動部、駆動部４４０、等が電気的に接続されている。
【００５７】
メモリ７２は、電源の供給が遮断されても記憶内容を保持できる非一過性の記憶媒体である。例えば、ハードディスクドライブ、フラッシュＲＯＭ、および、本装置１に着脱可能に装着されるＵＳＢメモリ等をメモリ７２として使用することができる。メモリ７２には、本装置１による遠方視画像（遠方視状態における正面画像）又は近方視画像（近方視状態における正面画像）、側方画像の撮影を制御するための撮影制御プログラム、遠方視画像又は近方視画像、側方画像を処理する画像処理プログラムが記憶されている。また、メモリ７２には、撮影された遠方視画像又は近方視画像、側方画像の撮影位置の情報等、撮影に関する各種情報が記憶される。操作ユニット１０には、検者による各種操作指示が入力される。
【００５８】
＜制御動作＞
以下、本実施例における制御動作について、図６を参照して、説明する。図６は、本実施例における制御動作の流れについて説明するフローチャートである。なお、本実施例においては、遠方視状態の被検者の画像を例に挙げて制御動作について説明する。もちろん、本発明は、近方視状態の被検者についても同様の制御が行われてもよい。
【００５９】
＜画像表示（Ｓ１）＞
検者は操作ユニット１０を操作し、遠用撮影モードに設定する。遠用撮影モードでは、遠方視状態の被検者の画像を撮影するために、各種光学系の制御が制御部７０によって行われる。
【００６０】
遠用撮影モードに設定された場合、制御部７０は、駆動部４４０の駆動を制御することによって、光学切換ユニット４００の反射ミラー４１０の角度θを、遠用撮影モードに対応する角度（例えば、水平面（ＸＺ平面）方向に対して４０°等）に設定する。遠用撮影モードに対応する角度に傾斜された反射ミラー４１０によって、光源２２０からの固視標光束は、被検眼Ｅに対して水平に投光される。
【００６１】
検者は、眼鏡フレームＦを装用するよう被検者に指示する。検者は、顔支持ユニット５の当接部３１に額を当てるように被検者に指示する。次に、検者は、固視標を注視するように被検者に指示する。
【００６２】
被検者が固視標を注視する様子は撮像部２００ｂ及び側方撮像光学系５００によって撮像される。制御部７０は撮像部２００ｂ及び側方撮像光学系５００からの検出信号に基づいて、被検眼Ｅ及び被検者の正面及び側方、上方から撮影した顔の画像を表示部１５に表示する（Ｓ１）。
【００６３】
＜アライメント調整（Ｓ２）、画像取得（Ｓ３）＞
初めに、検者は、被検者を顔支持ユニット５に位置させる。検者は、本装置１に対して被検者の顔が所定位置に配置されるように顔支持ユニット５の調整を行う。すなわち、検者は、アライメント調整を行う（Ｓ２）。
【００６４】
例えば、本実施例においては、被検眼Ｅの角膜頂点を表示部１５上の所定位置に表示させるように、被検者と本装置１の距離が調節される。本実施例では、例えば、上方撮像光学系１０１によって撮影された被検者の上方画像を用いて被検者と本装置１との位置合わせが行われる。位置合わせとは、例えば、被検者が装用する眼鏡フレームＦの水平方向の振れ角を調整することである。上方撮像光学系１０１は、例えば、被検者の顔及び眼鏡フレームＦを上方から撮影した上方画像６２３を撮影する（図７参照）。上方撮像光学系１０１によって撮影された上方画像６２３は、表示部１５に表示される。
【００６５】
例えば、図７に示すように、制御部７０は、上方画像６２３に位置合わせマークＩを表示させてもよい。例えば、位置合わせマークＩに関して、眼鏡フレームＦと遠用撮像光学系２００の光軸Ｌ１とが所定の位置関係に調整された状態で、眼鏡フレームＦが表示されることが想定される位置に、位置合わせマークＩが表示されてもよい。所定の位置関係としては、例えば、眼鏡フレームＦに対し、遠用撮像光学系２００の焦点が合っている位置等が考えられる。
【００６６】
より詳細には、遠用撮像光学系２００の光軸Ｌ１と上方撮像光学系の光軸Ｌ３とが交差する位置の座標に対応する上方画像６２３上の位置に、位置合わせマークＩが表示されてもよい。他の例としては、遠用撮像光学系２００の焦点位置に対応する上方画像６２３上の位置に、位置合わせマークＩが表示されてもよい。これらの表示位置は、撮像光学系の光学設計データと撮像画像とを用いて、予め設定可能である。この場合、例えば、検者は上方画像６２３を確認し、眼鏡フレームＦの左右の上リムＵと位置合わせマークＩが重なるように、本装置１と被検者との位置合わせを行う。
【００６７】
図７に示すように、被検者を上方から撮影した場合、眼鏡フレームＦの水平方向の傾き（振れ角）が分かりやすくなる。
【００６８】
さらに、位置合わせマークＩが表示されているため、検者は、装置１と被検者の位置がどれだけずれているか容易に確認できる。また、装置１と被検者との位置を合わせるだけなので、位置合わせのための操作が分りやすい。
【００６９】
なお、前述のように、本装置１の顔支持ユニット５は、水平回旋調節部５０によって当接部３１を水平方向に回旋できる。さらに、顔支持ユニット５は、作動距離調節部４０によって、当接部３１をＺ軸方向に移動できる。したがって、検者は、上方画像６２３を観察し、例えば、位置合わせマークＩと上リムＵの位置が一致するように、当接部３１の位置を調整してもよい。
【００７０】
例えば、図８（ａ）に示すように、位置合わせマークＩと眼鏡フレームＦがずれている場合、まず、検者は水平回転調節部５０を操作し、位置合わせマークＩと眼鏡フレームＦの上リムＵが平行になるように、当接部３１を水平方向に回転させてもよい（図８（ｂ）参照）。これによって、例えば、眼鏡フレームＦの振れ角がゼロになるように調整される。なお、正確に振れ角がゼロにならなくてもよい。振れ角が略ゼロになるように調整できればよい。例えば、±１°の範囲内に調整できればよい。次に、検者は作動距離調整部４０を操作し、位置合わせマークＩと眼鏡フレームＦが重なるように、当接部３１のＺ方向の位置を調整してもよい（図８（ｃ）参照）。このように、上方画像６２３を用いて、装置１と被検者のＺ方向の位置合わせを行ってもよい。
【００７１】
なお、上記のように、眼鏡フレームＦの振れ角を調整する場合、顔支持ユニット５を調整することに限らない。例えば、上方画像６２３に表示された位置合わせマークＩと眼鏡フレームＦが重なるように、眼鏡フレームＦの位置を調整してもよい。より詳細には、眼鏡フレームＦのテンプル（耳掛け）、鼻当て等の角度を調整し直してもよい。
【００７２】
以上のように、本装置１と被検者との位置合わせをする際、被検者の顔を上方から撮影した上方画像６２３を用いることによって、検者は、眼鏡フレームＦの左右の振れを調整しやすくなる。これによって、例えば、被検者の顔を下方から撮影する場合より、上方から撮影する場合の方が、眼鏡フレームＦの水平方向の振れ角が分かりやすい。従って、検者は、上方画像６２３を確認し、眼鏡フレームＦの水平方向の傾きを観察することで、本装置１と被検者との位置合わせを行いやすくなる。
【００７３】
なお、制御部７０は、側方撮像光学系５００によって撮影された画像の中心に位置合わせマークＶ，Ｈを表示部１５の側方画面６２１，６２２上に表示してもよい（図７参照）。この場合、位置合わせマークＶ，Ｈの交点と角膜頂点とが合致されたとき、アライメント位置が適正となるように設定されてもよい。このように、制御部７０は、側方撮影光学系５００によって撮影された被検者の側方画像６２１，６２２を、被検者と装置１との位置合わせ用に表示部１５に表示してもよい。そして、検者は側方画像６２１，６２２を確認しながら顔支持ユニット５を調整してもよい。このように、検者は、正面方向とは異なる方向から撮影された被検者の顔の画像を確認し、アライメントを行ってもよい。
【００７４】
なお、制御部７０は、近用撮像光学系３００によって被検者の下方から撮影された下方画像に位置合わせマークＩを表示させてもよい。前述と同様に、検者は、図示無き下方画像に表示された位置合わせマークＩに眼鏡フレームＦの下リムＤが重なるように、装置１と被検者の位置合わせを行ってもよい。このように、制御部７０は、正面方向とは異なる方向（例えば、上方、側方、下方）から撮影された被検者の画像を位置合わせに利用してもよい。
【００７５】
被検者の顔の位置調整が完了すると、検者は、表示部１５に表示された図示無き撮影ボタンをタッチする。撮影ボタンがタッチされると、制御部７０は、遠方視状態の被検者の画像（正面画像６２０及び側方画像６２１，６２２）を撮影する（Ｓ３）。以上のようにして、遠方視状態の画像が取得される。
【００７６】
＜画像解析処理（Ｓ５）及び眼鏡装用パラメータ取得（Ｓ６）＞
画像が取得されると、制御部７０は、取得した画像の解析を行う（Ｓ５）。例えば、制御部７０は、画像解析において、眼鏡のフレーム情報や被検者の瞳孔情報等を検出する。そして、制御部７０は、検出結果に基づいて、眼鏡フレームＦに対する被検眼Ｅの眼鏡パラメータを算出する（詳細は後述する）。なお、本実施例においては、画像が取得されると、画像の解析が開始される構成としたがこれに限定されない。例えば、検者によって解析の開始が設定される構成としてもよい。例えば、検者は、操作ユニット１０を操作し、図示無き画像解析モードを選択する。検者によって画像解析モードが選択されると、制御部７０は、画像の解析を開始する。
【００７７】
例えば、眼鏡装用パラメータとしては、瞳孔情報（例えば、瞳孔位置、瞳孔径等）および眼鏡フレーム情報（例えば、フレームの幅、フレーム位置等）等が挙げられる。また、例えば、眼鏡装用パラメータとしては、瞳孔情報およびフレーム情報から求められるような、瞳孔間距離、アイポジション高さ（フィッティングポイント高さ）等が挙げられる。また、例えば、側方画像６２１，６２２からフレーム部位を抽出することによって、算出される眼鏡装用パラメータ（例えば、フレーム前傾角度、眼鏡装用距離等）もありうる。
【００７８】
なお、以上の説明において、上方撮像光学系１０１は、撮像素子１０２を有し、測定屋根４に設けられる構成としたが、これに限らない。例えば、測定屋根４に反射ミラー１０９が備わり、下方から反射ミラー１０９に映った被検者の上部を撮影する構成であってもよい。例えば、図９に示すように、上方撮像光学系１０１は、近用撮像光学系３００を兼用してもよい。例えば、被検者の顔および眼鏡フレームＦによって反射した照明光学系１１０からの照明光は、反射ミラー１０９、反射ミラー４１０によって反射され、近用撮像光学系３００に入射される。近用撮像光学系３００に入射された光束は、最終的に撮像素子３１０によって受光される。このようにして、上方撮像光学系１０１は、例えば、撮像素子を備えず、他の撮像光学系の撮像素子を兼用してもよい。これによって、装置１の大型化を軽減できる。
【００７９】
なお、位置合わせマークＩは、眼鏡フレームＦの上リムＵに合わせるためでなくてもよい。例えば、位置合わせマークＩは、眼鏡フレームＦの左右の端部に合わせるためのマーク（例えば、位置合わせマークＶ，Ｈ）であってもよいし、眼鏡フレームＦの下リムＤに合わせるためのマークであってもよい。また、眼鏡フレームＦのテンプルに合わせるためのマークであってもよい。
【００８０】
なお、位置合わせマークＩは、直線でなくてもよい。例えば、位置合わせマークＩは、曲線であってもよいし（図１０（ａ））、点でもよい（図１０（ｂ））。眼鏡フレームＦのそり角に合わせて屈曲していてもよい。また、種々のそり角を有する眼鏡フレームＦに合わせやすいよう、放射上に延びていてもよい（図１０（ｃ））。
【００８１】
なお、本実施例においては、反射ミラー４１０の角度を変更させることによって、固視標の呈示位置を変更する光学系を用いて撮影した画像に対して、画像解析処理を行う構成を例に挙げて説明したが、これに限定されない。本実施例の画像解析処理は、眼鏡を装用した被検者を撮影した画像に対して適用することができる。すなわち、画像を撮影するための光学系としては、本実施例の光学系に限定されず、種々の光学系を適用してもよい。
【００８２】
なお、本実施例においては、左右側の側方画像を取得するために、側方撮像光学系５００として、被検者の左側に配置される左方撮像光学系５００Ｌと、被検者の右側に配置される右方撮像光学系５００Ｒをそれぞれ備える構成としたがこれに限定されない。１つの撮像光学系が兼用される構成としてもよい。例えば、左右側の側方画像を取得するために、１つの側方撮像光学系が用いられている構成であってもよい。この場合、例えば、反射ミラーの駆動等によって左右の側方を撮影する構成、側方撮像光学系が移動をすることによって左右の側方を撮影する構成、等が挙げられる。また、例えば、正面画像撮影用の撮像光学系を用いて、左右側の側方画像が取得される構成としてもよい。この場合、例えば、正面画像撮影用の光学系が移動されることによって、左右側の側方画像が取得される構成が挙げられる。
【００８３】
なお、本実施例においては、遠用撮像光学系２００と近用撮像光学系３００が別途設けられる構成としたがこれに限定されない。少なくとも一方の光学系を用いて、遠方視状態又は近方視状態の画像が撮影される構成としてもよい。
【００８４】
なお、本実施例においては、上方撮影光学系１０１と側方撮影光学系５００を両方備えるものとしたが、どちらか一方だけを備える構成であってもよい。例えば、上方撮影光学系１０１を備え、側方撮影光学系５００を備えなくとも、眼鏡フレームＦの水平方向における振れ角の調整およびそり角の測定を行うことができる。
【００８５】
なお、本実施例に開示の技術は、アタッチメントやシール等を眼鏡フレーム取り付け、眼鏡装用パラメータを取得する装置においても、適用することができる。例えば、アタッチメントやシール等が眼鏡フレーム取り付けられ、撮影された撮影画像において、それらの目印を検出する際に、本実施例に開示の技術を用いる。
【００８６】
なお、本実施例の本装置１は、複数の撮像光学系を備え、被検者の画像を撮影するものとした。しかしながら、この構成に限らない。例えば、撮像光学系を備えていなくともよい。この場合、装置外部の撮像光学系によって撮影された被検者の画像データを種々のデータ通信手段によって受信する。そして、受信した画像を基に、被検者の眼鏡装用パラメータを測定してもよい。
【００８７】
なお、本発明においては、本実施例に記載した装置に限定されない。例えば、上記実施例の機能を行う眼鏡装用画像解析ソフトウェア（プログラム）をネットワークや各種記憶媒体を介して、システムあるいは装置に供給する。そして、システムあるいは装置のコンピュータ（例えば、ＣＰＵ等）がプログラムを読み出し、実行することも可能である。
【００８８】
＜第２実施例＞
以下、図１１に基づいて第２実施例の眼鏡装用パラメータ測定用撮影装置（以下、本装置と略す）２０を説明する。なお、第１実施例と同様の構成については同一の符号を付し、説明を省略する。本装置２０は、第１実施例と比べ、顔支持ユニット５、表示部１５等を備えていない。本装置２０は、別に眼鏡装用画像解析装置（例えば、パーソナルコンピュータ）２９、表示部２９ａ等と接続されている（図１２参照）。眼鏡装用画像解析装置２９は、例えば、眼鏡を装用した被検者の画像を解析し、眼鏡装用パラメータを取得する。
【００８９】
本装置２０は、第１実施例と同様に、被検者の眼鏡装用パラメータを測定するための画像を撮影する。本装置２０は、例えば、撮像光学系２１を備える。撮像光学系２１は、例えば、遠用撮像光学系２１ｆ、近用撮像光学系２１ｎ、上方撮像光学系２１ｕ等を備える。遠用撮像光学系２１ｆは、例えば、被検者の正面方向から、被検者の水平視状態における顔を撮影する。近用撮像光学系２１ｎは、被検者の下方視状態における顔を撮影する。上方撮像光学系２１ｕは、例えば、眼鏡フレームＦの左右を含む被検者の顔を上方から撮影する。上方とは、真上であってもよいし、斜め上方であってもよい。なお、上方撮像光学系２１ｕは、好ましくは、上リムＵの上端を撮影できるとよい。上方撮影光学系２１ｕによって撮影された上方画像は、例えば、眼鏡フレームのそり角等の測定に利用される。
【００９０】
遠用撮像光学系２１ｆは、例えば、撮影部２２、固視灯２３、ハーフミラー２４等を備える。撮像部２２は、例えば、撮像素子等を備え、被検者を撮影する。固視灯２３は、固視光束を被検眼Ｅに投影し、被検者を水平視状態に固視させる。ハーフミラー２４は、固視灯２３の光軸Ｌ８と撮像部２２の光軸Ｌ５を同軸にする。これによって、撮像部２２は、被検者が固視灯２３を見たときの正面方向から被検者の顔を撮像できる。
【００９１】
近用撮像光学系は２１ｎ、例えば、撮像部２５、固視灯２６、ハーフミラー２７等を備える。撮像部２５は、例えば、撮像素子等を備え、被検者を撮影する。固視灯２３は、固視光束を被検眼Ｅに投影し、被検者を下方視状態に固視させる。ハーフミラー２７は、固視灯２３の光軸Ｌ９と撮像部２５の光軸Ｌ６を同軸にする。
【００９２】
上方撮像光学系２１ｕは、例えば、撮像部２８を備える。撮像部２８は、例えば、受光素子等を備え、眼鏡を装用した被検者を上方から撮影する。
【００９３】
第１実施形態と同様に、本装置２０と被検者との位置合わせにおいて、撮像部２８は、被検者を上方から撮影した上方画像６２３を撮影する。そして、制御部３０は、撮像部２によって撮影された上方画像６２３を表示部２９ａに表示する。さらに、制御部３０は、上方画像６２３に位置合わせマークＩを表示させる。位置合わせマークＩは、例えば、装置２０と被検者とが適正な位置関係にあるときの眼鏡フレームＦの上リムＵの位置に表示される。なお、位置合わせマークＩは、光軸Ｌ５と光軸Ｌ６が交わる点の位置に表示されてもよい。
【００９４】
検者は、上方画像６２３に表示された位置合わせマークＩと眼鏡フレームＦの上リムＵが重なるように、装置２０と被検者との位置合わせを行う。例えば、検者は、位置合わせマークＩと上リムＵが重なるように、被検者に顔を傾けるように指示し、装置２０と被検者との位置合わせを行ってもよい。
【００９５】
検者は、表示部２９ａに表示された上方画像６２３を確認しながら、本装置２０と被検者との位置合わせを行うことができる。第１実施形態でも説明したように、上方画像６２３は、眼鏡フレームの左右の振れを確認しやすい。このため、被検者は、本装置２０と被検者との位置合わせが容易に行える。
【００９６】
なお、以上の説明において、上方画像６２３、位置合わせマークＩは制御部３０が表示部２９ａに表示させるとしたが、これに限らない。例えば、眼鏡装用画像解析装置２９は、制御部３０から上方画像６２３を受け取り、表示部２９ａに表示させてもよい。眼鏡装用画像解析装置２９は、表示部２９ａに表示した上方画像６２３に位置合わせマークＩを表示せてもよい。
【００９７】
なお、以上の説明において、制御部７０は、正面方向とは異なる方向から撮影された被検者の顔の画像に位置合わせマークＩを表示させるものとしたが、これに限らない。制御部３０は、例えば、上方画像６２３、側方画像６２１，６２２等に基づいて、装置と被検者との位置合わせを行うようにしてもよい。
【００９８】
例えば、図１３（ａ）に示すように、制御部３０は、上方画像６２３を画像解析することによって眼鏡フレームＦを検出してもよい。そして、検出した眼鏡フレームＦの位置が装置２０に対して適正な位置になるように、ガイド表示６１を表示させてもよい。例えば、眼鏡フレームＦが水平方向に傾いている場合、制御部３０は、振れ角が０°になる方向に矢印型のガイド表示６１等を上方画像６２３に表示してもよい。検者は、ガイド表示６１にしたがって装置２０と被検者との位置合わせを行ってもよい。
【００９９】
なお、図１３（ｂ）に示すように、例えば、制御部３０は、正面方向とは異なる方向から撮影した被検者の画像に、アライメント完了マーク６２を表示させてもよい。例えば、制御部３０は、上方画像６２３にアライメント完了マーク６２を表示させてもよい。より詳細には、制御部３０は上方画像６２３を画像解析することによって、眼鏡フレームＦの位置を算出する。そして、制御部３０は、眼鏡フレームＦの振れ角が０°になったとき、上方画像６２３にアライメント完了マーク６２を表示してもよい。検者は、例えば、上方画像６２３を観察しながら、眼鏡フレームＦの振れ角が０°になるように装置２０と被検者との位置合わせを行う。そして、上方画像６２３にアライメント完了マーク６２が表示されることによって、検者は、アライメントが完了したことを確認し、位置合わせを終了してもよい。なお、アライメント完了マーク６２は、正面画像６２０に表示させてもよい。
【０１００】
上記のように、正面方向とは異なる方向から撮影された画像（例えば、上方画像、側方画像、下方画像）を、装置２０と被検者との位置合わせに用いることによって、検者は、眼鏡フレームＦの振れ角やＺ方向の距離が観察しやすくなる。これによって、検者は、位置合わせを行うことが容易になる。さらに、正面方向とは異なる方向から撮影された画像にガイド表示６１等を行うことによって、より位置合わせが容易に行える。
【０１０１】
なお、図１４に示すように、制御部３０は、正面方向とは異なる方向から撮影した被検者の画像を解析することによって、眼鏡フレームＦの振れ角等を算出し、駆動部６５によって撮像部２２を移動させてもよい。より詳細には、制御部３０は、例えば、上方画像６２３を解析して得られた眼鏡フレームＦの振れ角に応じて、駆動部６５を制御する。そして、制御部３０は、眼鏡フレームＦの振れ角に応じて被検者と撮像部２２の位置関係を相対的に調整してもよい。例えば、制御部は、被検者に対して撮像部２２を旋回させてもよいし、Ｚ方向に移動させてもよい。これによって、制御部３０は、撮像光学系２１と被検者との位置を自動で調整してもよい。これによって、装置２０と被検者との位置合わせが容易になる。
【０１０２】
なお、図１３及び図１４において説明した例は、第２実施例の構成を例に説明したが、第１実施例の構成にも適用されうる。
【符号の説明】
【０１０３】
１  眼鏡装用パラメータ測定装置
５  顔支持ユニット
１０  操作ユニット
１５  表示部
７０  制御部
７２  メモリ
２００  遠用撮像光学系
３００  近用撮像光学系
４００  光路切換ユニット
５００  側方撮像光学系
１０１  上方撮像光学系
６２３  上方画像
【図１】
2015210506.tif 000003
【図２】
2015210506.tif 000004
【図３】
2015210506.tif 000005
【図４】
2015210506.tif 000006
【図５】
2015210506.tif 000007
【図６】
2015210506.tif 000008
【図７】
2015210506.tif 000009
【図８】
2015210506.tif 000010
【図９】
2015210506.tif 000011
【図１０】
2015210506.tif 000012
【図１１】
2015210506.tif 000013
【図１２】
2015210506.tif 000014
【図１３】
2015210506.tif 000015
【図１４】
2015210506.tif 000016